(57)【要約】【課題】本発明は、ある程度大きな綿埃、比較的大きくて硬い塵等の払い取りと水分の払い取りという、異なった清掃を同時に行うことができる清掃シートを提供することを目的とする。【解決手段】基材シートの長手方向に複数の合片の繊維結束体を接合して並べ、清掃面と清掃シートの間に隙間を形成し、合片の繊維結束体凸部分で水分を吸収凹部にあたる基材シートである程度大きな埃を払い取り、合片の繊維結束体の接合部にできたＶ字形状の溝の部分で埃を捕捉、集塵能力をより増し良好な払い取りと水分の払い取り、という異なった清掃を同時に可能とする清掃シートを提供することである。【選択図】図４
2019093083.tif 000002
【特許請求の範囲】
【請求項１】
清掃具の下面を覆い、その清掃具に装着される清掃シートであって、基材シートとこの基材シートに合片の繊維結束体を重ね合わせて形成し、基材シートに接合して清掃部を構成しており、清掃部には、基材シートの同一面上に、複数の合片の繊維結束体が隣合せに密着して配置されており、前記複数の合片は、基材シート長手方向に複数並置されている、ことを特徴とする清掃シート。
【請求項２】
隣合う合片の繊維結束体を構成する繊維の密度はお互いに同一になる、ことを特徴とする請求項１に記載の清掃シート。
【請求項３】
隣合う合片の繊維結束体の一部がお互いに密着するように複数の合片が基材シートに配置される、密着して配置された合片の繊維結束体の間にはＶ字形状の溝ができる、ことを特徴とする請求項１または請求項２に記載の清掃シート。
【請求項４】
前記合片はダイヤ形状の繊維結束体とし、構成する繊維の密度は均一にしており基材シートの長手方向端から端まで配置される、ことを特徴とする請求項１から請求項３のいずれかに記載の清掃シート
【請求項５】
前記基材シートは徐塵機能を、前記合片の繊維結束体は吸水機能を有し、それぞれに異なる清掃機能を有している、ことを特徴とする請求項１から請求項４のいずれかに記載の清掃シート。
【請求項６】
清掃シートの前記合片の繊維結束体は凸部にあたり、基材シートは凹部にあたる即ち清掃シート上に凹凸を有している、ことを特徴とする請求項１から請求項５のいずれかに記載の清掃シート。
【請求項７】
前記合片の繊維結束体の形状は、前記基材シートに対して水平あるいはアーチ状のどちらかの形状を有している、ことを特徴とする請求項１から請求項６のいずれかに記載の清掃シート。
【請求項８】
前記合片の繊維結束の面積は清掃シート、払面部の５０パーセントとするが水分吸収性能を上げたい場合には面積を増やせば良く、面積については任意とする。
【請求項９】
この清掃シートは、片面使用を基本とするが、両面使用としても良いその際は前記合片の繊維結束体の厚さを調整する。厚さは任意とする。
【発明の詳細な説明】
【技術分野】
【０００１】  本発明は、ある程度大きな埃、比較的大きくて硬い塵等と水分とを同時に払い取ることができる、清掃シートに関するものである。
【背景技術】
【０００２】  従来より、床面等の埃、塵を除去するため清掃具に清掃シートを取付けて徐塵する清掃シートが普及しているが、水分も同時に払拭できるタイプの清掃シートの開発が期待されている。
例えば、特許文献１には起毛材質で凹凸を設けて、粗ゴミの捕集性能を高めた清掃シートが提案されている。
また、特許文献２には、基材シートと接合される清掃面形成シートからなる接合部分の弛みを利用してゴミの補修性能を高めた清掃シートが提案されている。
【先行技術文献】
【特許文献】
【０００３】
【特許文献１】特開２０１５−０９２９５４
【特許文献２】再公表Ｗ２０１０／０２９９０２
【発明の概要】
【発明が解決しようとする課題】
【０００４】  次のような問題点があった。
（イ）特許文献１は起毛材質で直行する方向に凸凹を設けて、粒ゴミの捕集性能を高めているが、大きな綿埃、ナイロン屑は、清掃具と清掃面に隙間がないためヘッド本体の上に舞上ってしまう。また輪ゴム、野菜屑等は清掃シートと清掃面との間で丸まり、集塵できずに擦り抜けてしまう問題があった。また吸水性能が付与されていない。
（ロ）特許文献２は基材シートと接合される清掃面形成シートからなり、接合部分の弛みを利用してゴミの補修性能を高めているが、ちょっと大きな綿埃、ナイロン屑は清掃具と清掃面に隙間がないため特許文献１同様ヘッド本体の上に舞上ってしまう。また許文献１と同様吸水性能が付与されていない。【０００５】  本発明の目的は、従来の清掃シートが集塵出来なかった比較的大きな綿埃、砂、ナイロン屑、輪ゴム、野菜屑等と水分を同時に十分払い取ることができる清掃シートを提供することである。
【課題を解決するための手段】
【０００６】  清掃具の下面を覆い、その清掃具に装着される清掃シートであって、この基材シートに合片の繊維結束体を重ね合わせて形成し、基材シートに接合して清掃部をを構成しており、清掃部には、基材シートの同一面上に、複数の合片の繊維結束体が隣り合わせに密着して配置されており、前記合片の繊維結束体は、基材シート長手方向に複数並置されている、ことを特徴とする清掃シートである。
【発明の効果】
【０００７】  本発明によれば清掃具の下面に配置されて床面を擦り、塵を集塵することに適した隙間を備えた払面部と床面上の水分を拭取ることに適した繊維結束体を備えており、従来の清掃シートでは集塵が難しかった比較的大きな綿埃、砂、ナイロン屑、輪ゴム、野菜屑等の集塵ができ、払面部に備えたＶ字形状の溝により、捕捉及び保持性能を効果的に発揮することができ、より効果的な拭取り清掃を行うことができる。
特に、同一清掃シートで水拭きと徐塵という異なるタイプの拭き掃除が可能となる清掃シートが提供できる。
【図面の簡単な説明】
【０００８】
【図１】本発明の実施形態１における、基材シート１上に合片２の繊維結束体が止着４され、合片２同士が隣合い一部が密着３配置された状態を示す断面図である。
【図２】本発明の実施形態２における清掃具１００に清掃シート５０を装着したときに清掃面２００と清掃シート５０との間にできる隙間３００を示す断面図である。
【図３】本発明の実施形態３における、合片２の繊維結束体、清掃シート５０を装着する状態を示す斜視図である。
【図４】本発明の実施形態３における、合片２の繊維結束体が基材シート１の長手方向端から端まで配置された状態を示す斜視図である。
【図５】本発明の実施形態４における、隣合う合片２にできるＶ字形状の溝５の斜視図である。
【発明を実施するための形態】
【０００９】  以下に本発明を実施するための望ましい形態について、図面を用いて説明する。
但し、以下に述べる実施形態には、本発明を実施するために技術的に望ましい種々の限定が付されているが、発明の範囲を以下の実施形態及び図示例に限定するものではない。
本発明に係わる清掃シートは、掃除具に装着して用い、使用できる取替え方式の清掃シートである。
【００１０】  （実施形態１）
清掃シート５０は図１の基材シート１と、この基材シート１に合片２の繊維結束体を重ね合わせて形成し、基材シート１に接合して清掃部を構成しており、清掃部には基材シート１の同一面上に、複数の合片２の繊維結束体が隣合わせに一部を密着３して配置されており、基材シート１の長手方向に複数並置されていることを特徴とする請求項１または請求項２に記載の清掃シートである。
【００１１】  前記合片２は繊維結束体とし構成する繊維の密度は均一にしており、基材シート１の長手方向端しから端まで配置される、ことを特徴とする請求項１から請求項３のいずれかに記載の清掃シートである。
【００１２】  （実施形態２）
この清掃シート５０は図２に示すように、清掃具１００の下面を覆うように装着されて使用される。清掃面２００と清掃シート５０の間に隙間３００ができることを特徴とする。
【００１３】  基材シート１はスパンレース、エアスルー、エアレイド、ポイントボンド、スパンボンド  ニードルパンチ等周知の技術により製造される不織布であり、その構成素材はレーヨン  コットン、パルプ等のセルロース繊維、ポリプロピレン、ポリエチレン、等のポリオレフィン系やポリエチレンテレフタレート等のポリエステル系の合成繊維、再生ＰＥＴ繊維など清掃シートの用途に応じて任意の繊維を適用することができ、それらを任意の配合率で混合して製造されたシート状の不織布である。既存の清掃シートに使われている素材である。
また、合片２の繊維結束体は、レーヨン、ポリプロピレン等周知の技術により製造される繊維結束体であり、その構成素材は綿状パルプ、吸水紙、高分子吸水材、ポリエチレン、ポリプロピレン、ポリエステルなどで吸水に優れた素材であり目的に応じて任意の繊維を適用することができ、それらを任意の配合率で混合して製造された合片２の繊維結束体である。既存のオムツ、整理用品に使われている素材である。
【００１４】  合片２の繊維結束体と基材シート１との止着部４はヒートシール、超音波接着ホットメルト、エスボン縫合、接着剤、合成ゴムなどの手法によって形成されている。
【００１５】  次にこの清掃シート５０の使用方法について説明する。
【００１６】  まず、図３に示すように合片２繊維結束体が配置された面が外面になるように清掃シート５０を広げ、清掃具１００のヘッドを清掃シート５０の中央に置きヘッドを包むようにして清掃シート５０を挟み込むなどして固定部７０に装着する。
【００１７】  そしてユーザーは、清掃シート５０が装着された清掃具１００の把持棒１１０を握り、その清掃具１００で床面を磨き擦るように操作し、清掃シート５０で床面を拭き掃除する。なお、この状態で清掃シート５０と清掃面２００との間に隙間３００ができ集塵が容易くなる。
【００１８】  この拭き掃除の際、清掃シート５０の払面部１０は、床面に押さえ付けられるので、その清掃具１００の移動に応じて床面に擦り付けられることとなって、その床面の従来の清掃シートでは集塵が難しかった比較的大きな綿埃、砂、ナイロン屑、輪ゴム、野菜屑等を隙間３００で容易に集塵できる。
特に、図４に示すように、基材シート１に止着４された合片２の繊維結束体の密着部３のＶ字形状の溝５に侵入し、絡め取る作用を奏する。
【００１９】  そして、清掃シート５０を裏返すと払面部１０には新しい合片２の繊維結束体が露出する、汚れの付着が無い清掃シート５０部分によって新品同様の掃除が可能となる。
【００２０】  特に、吸収性に優れた素材で成型された、合片２繊維結束体を組合わせることで水分が床面にあっても、同一清掃シート５０で水拭きと徐塵の異なるタイプの拭き掃除が可能となる。
【００２１】  （実施形態３）
払面部１０は清掃シート５０が清掃具１００に装着された際に、清掃具１００の下面側となる部分であり、基材シート１に止着４された、合片２の繊維結束体のその厚で、清掃シート５０と清掃面２００に隙間３００が生じる。その隙間３００で小石、砂、野菜屑、輪ゴム、大きな綿埃等の集塵を可能とする。
【００２２】  隣合う合片２の繊維結束体を構成する繊維の密度はお互いに同一とする専ら水分の吸収をつかさどる、ことを特徴とする請求項１に記載の清掃シート。
【００２３】  隣合う合片２の繊維結束体の一部がお互いに密着３するように複数の合片２が基材シート１に配置される、ことを特徴とする請求項１または請求項２に記載の清掃シート。
【００２４】  隣合う合片２の繊維結束体の一部がお互いに密着３し、そこにＶ字形状の溝５が生じこのＶ字形状の溝５で小石、砂、野菜屑、輪ゴム、大きな綿埃等、集塵を可能とすることを特徴とする請求項１から請求項７のいずれかに記載の清掃シート。
【００２５】  （実施形態４）
前記合片２の繊維結束体とし構成する繊維の密度は均一にしており基材シート１の長手方向端から端まで配置される、ことを特徴とする請求項１から請求項７のいずれかに記載の清掃シート。
【００２６】  前記合片２の繊維結束体は基材シート１の長手方向端から端まで無数配置されており清掃具１００に装着して用いることを特徴とする請求項１から請求項７のいずれかに記載の清掃シート。
【００２７】  前記基材シート１と前記合片２の繊維結束体とは、それぞれ異なる清掃機能が付与されている、ことを特徴とする請求項１から請求項７のいずれかに記載の清掃シート。
【００２８】  清掃シート５０は、片面使用としているが、表裏両面使用としても良い、前記基材シート１は凹部にあたり、前記合片２の繊維結束体は凸部にあたり、凹凸を有している、ことを特徴とする請求項１から請求項７のいずれかに記載の清掃シート。
【００２９】  清掃シート５０の合片２の繊維結束体の形状はダイヤ形状を基本とするが、凹凸面を有し、水分吸収に適した形状であればダイヤ形状でなくてもよい。また、ダイヤ形状の厚みは任意とするが集塵捕集性能、水分吸収能力からダイヤ形状を薦める。
【００３０】  合片２の繊維結束体の面積は、清掃シート５０の払面部１０の５０％が望ましいが任意とする。また、合片２繊維結束体の水分吸収率は１立法センチメートルあたり、約６，５ミリリットルの吸収が望ましい（参考資料、花王株式会社、リフレ超うす安心パットより算出）水分吸収率を高めるには、合片２の繊維結束体の厚みで調整する。請求項１から請求項７のいずれかに記載の清掃シート。
【符号の説明】
【００３１】    １  基材シート
２  合片の繊維結束体
３  密着部
４  止着部
５  Ｖ字形状の溝部
１０  払面部
５０  清掃シート
７０  固定部
１００  清掃具
１１０  把持棒
２００  清掃面
３００  隙間
【図１】
2019093083.tif 000003
【図２】
2019093083.tif 000004
【図３】
2019093083.tif 000005
【図４】
2019093083.tif 000006
【図５】
2019093083.tif 000007